(57)【要約】【課題】反射光の利用効率を高く維持しながら、安価かつ簡素な構成にて円滑に、迷光ないし層間クロストークを除去できるようにする。【解決手段】光検出器１１１ａ、１１１ｃは、再生光Ｌｎの収束位置Ｆｐよりも集光レンズ１１０から離れた位置に配置され、光検出器１１１ｂは、再生光Ｌｎの収束位置Ｆｐよりも集光レンズ１１０に近づいた位置に配置される。光検出器１１１ｂは、再生光Ｌｎの上半分を受光する。光検出器１１１ａは再生光Ｌｎの下半分を受光する。光検出器１１１ｂを取り除くと、再生光Ｌｎの上半分は、光検出器１１１ｃに入射する。光検出器１１１ａ、１１１ｂ、１１１ｃから出力される検出信号をそれぞれＳａ、ＳｂおよびＳｃとして、再生信号Ｓを、Ｓ＝Ｓａ＋Ｓｂ−Ｓｃの演算により求める。これにより、再生信号Ｓに対する迷光の影響が完全に除去される。【選択図】図２
2010009734.tif 000002
【特許請求の範囲】
【請求項１】
レーザ光源と、
前記レーザ光源から出射されたレーザ光を記録媒体上に収束させる対物レンズと、
前記記録媒体によって反射された前記レーザ光を受光する光検出部と、
前記レーザ光源から出射された前記レーザ光を前記対物レンズに導くとともに前記記録媒体によって反射された前記レーザ光を収束光として前記光検出部に導く光学系とを備え、
前記光検出部は、
前記記録媒体によって反射された前記レーザ光のうち照射目標の記録層によって反射された目標レーザ光の収束位置よりも前記光学系から離れた位置であって、前記目標レーザ光の第１の部分とこれと異なる第２の部分をそれぞれ受光する位置に配された第１および第２の光検出器と、
前記目標レーザ光の収束位置よりも前記光学系に接近した位置であって、前記第１の部分よりも前記第２の部分に多く掛かる位置に配された第３の光検出器とを備える、
ことを特徴とする光ピックアップ装置。
【請求項２】
請求項１に記載の光ピックアップ装置において、
前記第１の部分と前記第２の部分は、前記目標レーザ光をその光軸に垂直な方向に２分割した部分であって、
前記第３の光検出器は、前記目標レーザ光の前記第２の部分の全てに掛かる位置に配置されている、
ことを特徴とする光ピックアップ装置。
【請求項３】
請求項２に記載の光ピックアップ装置において、
前記第３の光検出器は、前記目標レーザ光の前記第１の部分には掛からない位置に配置されている、
ことを特徴とする光ピックアップ装置。
【請求項４】
請求項１ないし３の何れか一項に記載の光ピックアップ装置において、
前記光学系は、前記目標レーザ光に非点収差を導入し、
前記第１、第２および第３の光検出器は、前記第１および第２の光検出器の並び方向に直交する方向に２つに分割された受光領域を有し、
前記非点収差の方向が前記第１および第２の光検出器の並び方向に対して４５度傾くよう前記光学系が調整されている、
ことを特徴とする光ピックアップ装置。
【請求項５】
記録媒体によって反射され光検出部に収束されるレーザ光のうち照射目標の記録層によって反射された目標レーザ光に基づく信号を生成する信号生成方法であって、
前記光検出部は、
前記目標レーザ光の収束位置よりも前記光学系から離れた位置であって、前記目標レーザ光の第１の部分とこれと異なる第２の部分をそれぞれ受光する位置に配された第１および第２の光検出器と、
前記目標レーザ光の収束位置よりも前記光学系に接近した位置であって、前記第１の部分よりも前記第２の部分に多く掛かる位置に配された第３の光検出器とを備え、
前記第１、第２および第３の光検出器から出力される信号をそれぞれＳ１、Ｓ２およびＳ３とするとき、前記目標レーザ光に基づく信号Ｓを、
Ｓ＝Ｓ１＋Ｓ３−Ｓ２
の演算処理により求める、
ことを特徴とする信号生成方法。
【請求項６】
光ピックアップ装置と前記光ピックアップ装置からの信号を演算処理する信号演算回路とを備える光ディスク装置において、
前記光ピックアップ装置は；
レーザ光源と、
前記レーザ光源から出射されたレーザ光を光ディスク上に収束させる対物レンズと、
前記光ディスクによって反射された前記レーザ光を受光する光検出部と、
前記レーザ光源から出射された前記レーザ光を前記対物レンズに導くとともに前記光ディスクによって反射された前記レーザ光を収束光として前記光検出部に導く光学系とを備え、
前記光検出部は、
前記光ディスクによって反射された前記レーザ光のうち照射目標の記録層によって反射された目標レーザ光の収束位置よりも前記光学系から離れた位置であって、前記目標レーザ光の第１の部分とこれと異なる第２の部分をそれぞれ受光する位置に配された第１および第２の光検出器と、
前記目標レーザ光の収束位置よりも前記光学系に接近した位置であって、前記第１の部分よりも前記第２の部分に多く掛かる位置に配された第３の光検出器とを備え、
前記信号演算回路は；
前記第１、第２および第３の光検出器から出力される信号をそれぞれＳ１、Ｓ２およびＳ３とするとき、前記目標レーザ光に基づく再生信号Ｓを、
Ｓ＝Ｓ１＋Ｓ３−Ｓ２
の演算処理により求める、
ことを特徴とする光ディスク装置。
【発明の詳細な説明】
【技術分野】
【０００１】
本発明は、光ピックアップ装置、信号生成方法および光ディスク装置に関し、特に、記録層を複数有する光ディスクに対応可能な光ピックアップ装置、この光ピックアップ装置からの出力信号から再生信号を生成する信号生成方法、および、記録層を複数有する光ディスクに対応可能な光ディスク装置に用いて好適なものである。
【背景技術】
【０００２】
近年、光ディスクの高容量化が進められている。光ディスクの高容量化は、一つのディスク内に複数の記録層を配することにより実現できる。たとえば、ＤＶＤ（Digital Versatile Disc）やブルーレイディスクでは、片面に２つの記録層を有するマルチレイヤータイプのディスクが商品化されている。記録層の層数を３層以上にすると、光ディスクの容量をさらに増加させることができる。
【０００３】
しかしながら、ディスク内に複数の記録層を配すると、再生目標以外の記録層からの反射光が光検出器に入射し、再生信号が劣化するとの問題が生じる。いわゆる、迷光による層間クロストークの問題である。したがって、一つのディスク内に複数の記録層を配する場合には、迷光を円滑に抑制・除去するための構成が必要となる。
【０００４】
迷光を除去する方法として、たとえば、光検出器の前にピンホールを配する方法がある（特許文献１）。また、迷光除去の他の方法として、光検出器の前に前方遮光板と後方遮光板を配する方法があり（特許文献２）、さらには、偏光光学素子を用いる方法もある（特許文献３）。
【特許文献１】特許２６２４２５５号公報
【特許文献２】特開２００６−２９４０７５号公報
【特許文献１】特開２００６−３４４３４４号公報
【発明の開示】
【発明が解決しようとする課題】
【０００５】
しかしながら、光検出器の前にピンホールを配する方法では、再生目標の記録層からの反射光の他、迷光も、ピンホールを通過して光検出器に到達する。この場合、記録層間の分離が悪く、層間隔が小さいと、ピンホールを通過する迷光の量が増加し、層間クロストークを適正に除去できないとの問題が生じる。
【０００６】
また、前方遮光板と後方遮光板を配する方法では、再生目標の記録層からの反射光の半分が遮光されるため、当該反射光の利用効率が５０％程度に低下するとの問題がある。さらに、偏光光学素子を用いる方法では、迷光除去のために多くの光学部品が必要となるため、コストの上昇を招くとの問題が生じる。
【０００７】
本発明は、上記課題を解消するためになされたものであり、反射光の利用効率を高く維持しながら、安価かつ簡素な構成にて円滑に、迷光ないし層間クロストークを除去できる光ピックアップ装置、信号生成方法および光ディスク装置を提供することを目的とする。
【課題を解決するための手段】
【０００８】
本発明の第１の態様は、光ピックアップ装置に関する。本態様に係る光ピックアップ装置は、レーザ光源と、前記レーザ光源から出射されたレーザ光を記録媒体上に収束させる対物レンズと、前記記録媒体によって反射された前記レーザ光を受光する光検出部と、前記レーザ光源から出射された前記レーザ光を前記対物レンズに導くとともに前記記録媒体によって反射された前記レーザ光を収束光として前記光検出部に導く光学系とを備える。また、前記光検出部は、前記記録媒体によって反射された前記レーザ光のうち照射目標の記録層によって反射された目標レーザ光の収束位置よりも前記光学系から離れた位置であって、前記目標レーザ光の第１の部分とこれと異なる第２の部分をそれぞれ受光する位置に配された第１および第２の光検出器と、前記目標レーザ光の収束位置よりも前記光学系に接近した位置であって、前記第１の部分よりも前記第２の部分に多く掛かる位置に配された第３の光検出器とを備える。
【０００９】
第１の態様に係る光ピックアップ装置によれば、前記第１、第２および第３の光検出器から出力される信号を演算処理することにより、再生信号に対する迷光の影響を効果的に抑制することができる。具体的には、前記第１、第２および第３の光検出器から出力される信号をそれぞれＳ１、Ｓ２およびＳ３とすると、前記目標レーザ光に基づく再生信号ＳをＳ＝Ｓ１＋Ｓ３−Ｓ２の演算処理により求めることで、再生信号に対する迷光の影響を抑制することができる。
【００１０】
また、第１の態様に係る光ピックアップ装置によれば、３つの光検出器のみを用いることによって迷光による影響を抑制できるため、構成の簡素化とコストの削減を図ることができる。このとき、目標レーザ光は、第３の光検出器によって遮光されるものの、第３の光検出器により受光されて、再生信号の生成に用いられるため、目標レーザ光の利用効率を高く維持することができる。
【００１１】
第１の態様に係る光ピックアップ装置において、前記第１の部分と前記第２の部分は、前記目標レーザ光をその光軸に垂直な方向に２分割した部分とすることができ、前記第３の光検出器は、前記目標レーザ光の前記第２の部分の全てに掛かる位置に配置することができる。この場合、前記第３の光検出器は、前記目標レーザ光の前記第１の部分には掛からない位置に配置することができる。
【００１２】
さらに、第１の態様に係る光ピックアップ装置において、前記光学系は、前記目標レーザ光に非点収差を導入する構成とすることができ、前記第１、第２および第３の光検出器は、前記第１および第２の光検出器の並び方向に直交する方向に２つに分割された受光領域を有する構成とすることができる。ここで、前記非点収差の方向は、前記第１および第２の光検出器の並び方向に対して４５度傾くよう前記光学系が調整される。こうすると、第１、第２および第３の光検出器からの出力をもとに、再生信号の他、非点収差法に基づくフォーカスエラー信号をも生成することができる。
【００１３】
なお、第１の態様に係る光ピックアップ装置において、前記第３の光検出器は、前記目標レーザ光の第２の部分の全てに掛かり、第１の部分には掛からないようにするのが望ましく、また、第１および第２の光検出器は、それぞれ、目標レーザ光の第１の部分および第２の部分のみを受光するようにするのが望ましい。こうすると、上述の演算式（Ｓ＝Ｓ１＋Ｓ３−Ｓ２）に従って再生信号を求めることで、理論上、再生信号に対する迷光の影響を完全に除去することができる。加えて、前記第１の部分と前記第２の部分を、前記目標レーザ光をその光軸に垂直な方向に２分割した部分とすると、目標レーザ光の全光量に基づいて再生信号が生成されるため、理論上、目標レーザ光の利用効率を１００％とすることができる。
【００１４】
ただし、たとえば図８ないし図１３に実施の形態の変更例として示すとおり、第１および第２の光検出器（光検出器１１１ａ、１１１ｃ）を目標レーザ光（再生光）の光軸に垂直な方向に僅かに変位させ、あるいは、第３の光検出器（光検出器１１１ｂ）を目標レーザ光（再生光）の光軸に垂直な方向に僅かに変位させても、再生信号に対する迷光の影響を抑制することができ、層間クロストークを低減させることができる。
【００１５】
本発明の第２の態様は、記録媒体によって反射され光検出部に収束されるレーザ光のうち照射目標の記録層によって反射された目標レーザ光に基づく信号を生成する信号生成方法に関する。第２の態様に係る信号生成方法において、前記光検出部は、前記目標レーザ光の収束位置よりも前記光学系から離れた位置であって、前記目標レーザ光の第１の部分とこれと異なる第２の部分をそれぞれ受光する位置に配された第１および第２の光検出器と、前記目標レーザ光の収束位置よりも前記光学系に接近した位置であって、前記第１の部分よりも前記第２の部分に多く掛かる位置に配された第３の光検出器とを備える。そして、前記第１、第２および第３の光検出器から出力される信号をそれぞれＳ１、Ｓ２およびＳ３とするとき、前記目標レーザ光に基づく信号Ｓを、Ｓ＝Ｓ１＋Ｓ３−Ｓ２の演算処理により求める。
【００１６】
第２の態様に係る信号生成方法によれば、上記第１の態様に関して説明したように、再生信号に対する迷光の影響を抑制することができる。
【００１７】
本発明の第３の態様は、光ピックアップ装置と前記光ピックアップ装置からの信号を演算処理する信号演算回路とを備える光ディスク装置に関する。本態様に係る光ディスク装置において、前記光ピックアップ装置は、レーザ光源と、前記レーザ光源から出射されたレーザ光を光ディスク上に収束させる対物レンズと、前記光ディスクによって反射された前記レーザ光を受光する光検出部と、前記レーザ光源から出射された前記レーザ光を前記対物レンズに導くとともに前記光ディスクによって反射された前記レーザ光を収束光として前記光検出部に導く光学系とを備える。ここで、前記光検出部は、前記光ディスクによって反射された前記レーザ光のうち照射目標の記録層によって反射された目標レーザ光の収束位置よりも前記光学系から離れた位置であって、前記目標レーザ光の第１の部分とこれと異なる第２の部分をそれぞれ受光する位置に配された第１および第２の光検出器と、前記目標レーザ光の収束位置よりも前記光学系に接近した位置であって、前記第１の部分よりも前記第２の部分に多く掛かる位置に配された第３の光検出器とを備える。また、前記信号演算回路は、前記第１、第２および第３の光検出器から出力される信号をそれぞれＳ１、Ｓ２およびＳ３とするとき、前記目標レーザ光に基づく再生信号Ｓを、Ｓ＝Ｓ１＋Ｓ３−Ｓ２の演算処理により求める。
【００１８】
第３の態様に係る信号生成方法によれば、上記第１の態様に関して説明したように、再生信号に対する迷光の影響を抑制することができる。また、構成の簡素化とコストの削減を図ることができ、目標レーザ光の利用効率を高く維持することができる。
【発明の効果】
【００１９】
以上のとおり本発明によれば、反射光（目標レーザ光）の利用効率を高く維持しながら、安価かつ簡素な構成にて円滑に、迷光ないし層間クロストークを除去できる光ピックアップ装置、信号生成方法および光ディスク装置を提供することができる。
【００２０】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【発明を実施するための最良の形態】
【００２１】
以下、本発明の実施の形態につき図面を参照して説明する。本実施の形態は、厚み方向に複数の記録層が積層された光ディスクに対応可能な光ピックアップ装置および光ディスク装置に本発明を適用したものである。
【００２２】
＜実施例１＞
図１に実施の形態に係る光ピックアップの構成を示す。同図（ａ）は、対物レンズ１０８を除く光学系の平面図、同図（ｂ）は、立ち上げミラー１０７と対物レンズ１０８の部分の側面図である。
【００２３】
図において、半導体レーザ１０１は、所定波長のレーザ光を出射する。コリメートレンズ１０２は、半導体レーザ１０１から出射されたレーザ光を平行光に変換する。偏光ビームスプリッタ（ＰＢＳ）１０３は、コリメートレンズ１０２側から入射するレーザ光を略全反射し、１／４波長板１０４側から入射するレーザ光を略全透過する。
【００２４】
１／４波長板１０４は、ＰＢＳ１０３側から入射するレーザ光を円偏光に変換するとともに、エキスパンダ１０５側から入射するレーザ光を、ＰＢＳ１０３側から入射するレーザ光の偏光方向に垂直な偏光方向に変換する。よって、１／４波長板１０４側からＰＢＳ１０３に入射するレーザ光は、ＰＢＳ１０３を略全透過し、ビームスプリッタ１０９へと導かれる。
【００２５】
エキスパンダ１０５は、凹レンズと凸レンズの組み合わせからなり、このうち一方のレンズがアクチュエータ１０６によって光軸方向に駆動される。ここで、アクチュエータ１０６は、モータおよびリードスクリュー等を備え、レーザ光の収差を補正するためのサーボ信号に応じて駆動される。
【００２６】
エキスパンダ１０５を透過したサーボ光は、立ち上げミラー１０７に入射する。立ち上げミラー１０７は、エキスパンダ１０５側から入射されたレーザ光を対物レンズ１０８に向けて反射する。反射されたレーザ光は、対物レンズ１０８によって収束され、光ディスク１０に照射される。光ディスク１０は、厚み方向に複数の記録層を有する。
【００２７】
光ディスク１０に照射されたレーザ光は、光ディスク１０中に配された記録層によって反射される。反射されたレーザ光は、上記光路を逆行した後、ＰＢＳ１０３を透過し、ビームスプリッタ１０９に入射する。ビームスプリッタ１０９は、入射されたレーザ光を所定の比率にて反射および透過する。
【００２８】
ビームスプリッタ１０９を透過したレーザ光は、集光レンズ１１０によって集光される。光検出部１１１は、集光レンズ１１０によって集光されたレーザ光を受光して検出信号を出力する。光検出器１１１には、後述の如く、３つの光検出器（光検出器１１１ａ〜１１１ｃ）が配されている。
【００２９】
ビームスプリッタ１０９によって反射されたレーザ光は、アナモレンズ１１２に入射する。アナモレンズ１１２は、入射されたレーザ光に非点収差を導入する。光検出部１１３は、非点収差が導入されたレーザ光を受光して検出信号を出力する。光検出器１１３には、レーザ光を受光する４分割センサが配されている。４分割センサから出力される信号から、非点収差法によりフォーカスエラー信号が生成され、また、１ビームプッシュプル法によりトラッキングエラー信号が生成される。
【００３０】
対物レンズ１０８は、ホルダ１３１に装着されている。ここで、ホルダ１３１は、対物レンズアクチュエータ１３２によって、フォーカス方向およびトラッキング方向に駆動される。対物レンズアクチュエータ１３２は、従来周知のコイルと磁気回路から構成され、このうちコイルがホルダ１３１に装着されている。
【００３１】
対物レンズアクチュエータ１３２にサーボ信号が供給されることにより、対物レンズ１０８が、ホルダ１３１と一体的に、フォーカス方向およびトラッキング方向に変位される。これにより、レーザ光が照射目標の記録層に収束される。なお、フォーカスエラー信号とトラッキングエラー信号は、上記の如く、光検出器１１３からの出力信号をもとに生成される。
【００３２】
次に、図２を参照して、本実施例における光検出部１１１の構成と、再生信号の生成方法について説明する。なお、同図には、図１の構成のうち、集光レンズ１１０と光検出部１１１の部分が示されている。
【００３３】
上記のとおり、光検出部１１１は、３つの光検出器１１１ａ〜１１１ｃからなっている。３つの光検出器１１１ａ〜１１１ｃは、受光面側から見たときの輪郭が四角形となっており、この輪郭と略同じ大きさの受光面を有している。これら３つの光検出器１１１ａ〜１１１ｃは、図２（ｂ）に示す如く、再生目標の記録層（以下、「ターゲット層」という）によって反射されたレーザ光（以下、「再生光」という）Ｌｎの収束位置Ｆｐを挟んで再生光の光軸方向に前後するように配置されている。光検出器１１１ａ、１１１ｃは、各受光面が同一平面上に位置するよう配置されている。また、光検出器１１１ｂは、受光面が光検出器１１１ａ、１１１ｃの受光面と平行になるように配置されている。
【００３４】
なお、光検出器１１１ａは、特許請求の範囲に記載の第１の光検出器に相当し、光検出器１１１ｂは、特許請求の範囲に記載の第３の光検出器に相当し、光検出器１１１ｃは、特許請求の範囲に記載の第２の光検出器に相当する。
【００３５】
光検出器１１１ｂは、再生光Ｌｎの上半分に掛かるように配置されている。よって、再生光Ｌｎの上半分は、光検出器１１１ｂによって遮光される。再生光Ｌｎの下半分は、光検出器１１１ｂによって遮光されずに、全てが光検出器１１１ａに入射する。光検出器１１１ｂを取り去ると、再生光Ｌｎの上半分は、全てが光検出器１１１ｃに入射する。しかし、ここでは、光検出器１１１ｂが配されているため、光検出器１１１ｃには、再生光Ｌｎの上半分が入射せず、同図（ｂ）の如く、光検出器１１１ｃには、再生光が全く入射しない。
【００３６】
同図（ａ）および（ｃ）は、光検出器１１１ａ〜１１１ｃを上記のように配置したときの、各光検出器１１１ａ〜１１１ｃにおける迷光の入射状態を示す図である。同図（ａ）は、ターゲット層よりも１層だけ対物レンズ１０８側にある記録層によって反射されたレーザ光（以下、「迷光Ｌｎ−１」という）の入射状態を示し、また、同図（ｃ）は、ターゲット層よりも１層だけ対物レンズ１０８から遠い記録層によって反射されたレーザ光（以下、「迷光Ｌｎ＋１」という）の入射状態を示している。
【００３７】
同図（ａ）を参照して、光検出器１１１ａ〜１１１ｃを上記のように配置すると、迷光Ｌｎ−１の収束位置は、光検出器１１１ａ、１１１ｃよりも集光レンズ１１０から離れた位置に位置付けられる。このとき、迷光Ｌｎ−１の下半分は、光検出器１１１ｃに入射し、光検出器１１１ａには、迷光Ｌｎ−１が全く入射しない。
【００３８】
一方、迷光Ｌｎ＋１の収束位置は、同図（ｃ）に示すように、光検出器１１１ｂよりも集光レンズ１１０に接近した位置に位置付けられる。このとき、迷光Ｌｎ＋１の上半分は、光検出器１１１ｂに掛かることなく光検出器１１１ｃに入射する。また、迷光Ｌｎ＋１の下半分は、光検出器１１１ｂに掛かって遮光され、結果、光検出器１１１ａには、迷光Ｌｎ＋１が全く入射しない。
【００３９】
今、再生光Ｌｎの全体の光量を（Ｌｎ）とすると、同図（ｂ）から、各光検出器１１１ａ〜１１１ｃに入射する再生光Ｌｎの光量は、次のとおりとなる。
【００４０】
・光検出器１１１ａに入射する光量：Ａｎ＝（Ｌｎ）／２
・光検出器１１１ｂに入射する光量：Ｂｎ＝（Ｌｎ）／２
・光検出器１１１ｃに入射する光量：Ｃｎ＝０
【００４１】
また、迷光Ｌｎ−１の全体の光量を（Ｌｎ−１）とすると、同図（ａ）から、各光検出器１１１ａ〜１１１ｃに入射する迷光Ｌｎ−１の光量は、次のとおりとなる。
【００４２】
・光検出器１１１ａに入射する光量：Ａｎ−１＝０
・光検出器１１１ｂに入射する光量：Ｂｎ−１＝（Ｌｎ−１）／２
・光検出器１１１ｃに入射する光量：Ｃｎ−１＝（Ｌｎ−１）／２
【００４３】
さらに、迷光Ｌｎ＋１の全体の光量を（Ｌｎ＋１）とすると、同図（ｃ）から、各光検出器１１１ａ〜１１１ｃに入射する迷光Ｌｎ＋１の光量は、次のとおりとなる。
【００４４】
・光検出器１１１ａに入射する光量：Ａｎ＋１＝０
・光検出器１１１ｂに入射する光量：Ｂｎ＋１＝（Ｌｎ＋１）／２
・光検出器１１１ｃに入射する光量：Ｃｎ＋１＝（Ｌｎ＋１）／２
【００４５】
各光検出器１１１ａ〜１１１ｃから出力される検出信号Ｓａ、Ｓｂ、Ｓｃは、再生光Ｌｎによる検出信号成分と、迷光Ｌｎ−１、Ｌｎ＋１による検出信号成分を加算したものとなる。ここで、便宜上、各光検出器１１１ａ〜１１１ｃから出力される検出信号の再生光Ｌｎ、迷光Ｌｎ−１、Ｌｎ＋１による検出信号成分を、光量（Ｌｎ）、（Ｌｎ−１）、（Ｌｎ＋１）で表すと、検出信号Ｓａ〜Ｓｃは、次のとおりとなる。
【００４６】
・Ｓａ＝｛（Ｌｎ）／２｝
・Ｓｂ＝｛（Ｌｎ−１）／２｝＋｛（Ｌｎ＋１）／２｝＋｛（Ｌｎ）／２｝
・Ｓｃ＝｛（Ｌｎ−１）／２｝＋｛（Ｌｎ＋１）／２｝
【００４７】
なお、Ｓａは、特許請求の範囲に記載のＳ１に相当し、Ｓｂは、特許請求の範囲に記載のＳ３に相当し、Ｓｃは、特許請求の範囲に記載のＳ２に相当する。
【００４８】
ここで、検出信号Ｓａ、Ｓｂ、Ｓｃについて、Ｓ＝Ｓａ＋Ｓｂ−Ｓｃの演算を行うと、演算結果は以下のとおりとなる。
【００４９】
S =｛(Ln)/2｝+｛(Ln)/2｝+｛(Ln-1)/2｝+｛(Ln+1)/2｝-｛(Ln-1)/2｝-｛(Ln+1)/2｝
=｛(Ln)/2｝+｛(Ln)/2｝
= (Ln)    …（１）
【００５０】
この演算から分かるとおり、Ｓ＝Ｓａ＋Ｓｂ−Ｓｃの演算を行うと、光検出器１１１ｂ、１１１ｃにてそれぞれ受光された迷光Ｌｎ−１、Ｌｎ＋１による検出信号成分が互いに相殺され、演算結果Ｓには、再生光Ｌｎの検出信号成分のみが残ることとなる。
【００５１】
つまり、上記Ｓ＝Ｓａ＋Ｓｂ−Ｓｃの演算により求めた信号Ｓは、再生光Ｌｎの信号成分のみに基づくものとなり、この信号Ｓには、迷光Ｌｎ−１、Ｌｎ＋１による信号成分が全く重畳されなくなる。したがって、これら３つの光検出器１１１ａ〜１１１ｃを図２に示す如く配置し、各光検出器１１１ａ〜１１１ｃから出力される検出信号Ｓａ、Ｓｂ、Ｓｃについて、Ｓ＝Ｓａ＋Ｓｂ−Ｓｃの演算を行うと、求めた信号Ｓは、再生光の光量成分のみに基づく再生信号となり、迷光Ｌｎ−１、Ｌｎ＋１による影響を一切受けない。しかも、この再生信号Ｓは、上記式（１）から分かるとおり、再生光Ｌｎの全光量に基づくものであって、再生信号Ｓの生成における再生光の利用効率は１００％となる。
【００５２】
このように、図２に示す構成では、再生信号に対する迷光の影響を完全に除去することができる。また、３つの光検出器１１１ａ〜１１１ｃのみを用いることによって迷光による影響を除去できるため、構成の簡素化とコストの削減を図ることができる。さらに、再生光の全光量を用いて再生信号が生成されるため、再生信号Ｓの生成における再生光の利用効率を高く維持することができる。
【００５３】
図３は、光ディスク装置の要部構成を示す図である。図示の如く、光ディスク装置は、レーザ駆動回路２０１と、光ピックアップ装置２０２と、信号演算回路２０３と、再生回路２０４と、サーボ回路２０５を備えている。
【００５４】
光ピックアップ装置２０２は、図１に示す光学系を備えている。レーザ駆動回路２０１は、光ピックアップ装置２０２内に配された半導体レーザ１０１をコントローラ２０６からの指令に応じて駆動する。すなわち、再生時においてレーザ駆動回路２０１は、所定パワーにてレーザ光を出射するよう半導体レーザ１０１を駆動する。
【００５５】
信号演算回路２０３は、光ピックアップ装置２０２内に配された光検出部１１１および光検出器１１３からの出力信号を演算処理して、再生信号、フォーカスエラー信号およびトラッキングエラー信号を生成し、これらをそれぞれ対応する回路に出力する。信号演算回路２０３は、上記図２を参照して説明した如く、光検出器１１１ａ〜１１１ｃからの検出信号Ｓａ〜Ｓｃに対して、Ｓ＝Ｓａ＋Ｓｂ−Ｓｃの演算処理を行い、再生信号Ｓを生成する。また、信号演算回路２０３は、光検出器１１３（４分割センサ）から出力される検出信号から、非点収差法によりフォーカスエラー信号を生成し、また、かかる検出信号から、１ビームプッシュプル法によりトラッキングエラー信号を生成する。
【００５６】
再生回路２０４は、信号演算回路２０３から入力された再生信号を復調・再生して再生データを生成し、これを後段回路（図示せず）に出力する。
【００５７】
サーボ回路２０５は、信号演算回路２０３から入力されたフォーカスエラー信号およびトラッキングエラー信号をもとにフォーカスサーボ信号およびトラッキングサーボ信号を生成し、これらを、対物レンズアクチュエータ１３２に供給する。また、サーボ回路２０５は、信号演算回路２０３から入力される再生信号をモニタし、かかる再生信号が最良となるように、光ピックアップ装置２０２内のアクチュエータ１０６を制御する。さらに、サーボ回路２０５は、コントローラ２０６からの指令に応じて、ターゲット層に対するレーザ光のフォーカス引き込みを行う。
【００５８】
以上、本実施例によれば、光検出器１１１ａ〜１１１ｃを図２のように配置し、これら光検出器１１１ａ〜１１１ｃから出力される信号Ｓａ、ＳｂおよびＳｃについてＳ＝Ｓａ＋Ｓｂ−Ｓｃを演算処理してターゲット層に対する再生信号Ｓを生成するようにしたため、再生信号Ｓに対する迷光の影響を完全に除去することができ、層間クロストークの無い再生信号を生成出力することができる。
【００５９】
また、本実施例によれば、３つの光検出器１１１ａ〜１１１ｃのみを用いることによって迷光による影響を排除できるため、構成の簡素化とコストの削減を図ることができる。しかも、再生信号Ｓは、再生光Ｌｎの全光量に基づくものであるため、再生信号Ｓを生成する際の再生光の利用効率を略１００％とすることができる。
【００６０】
このように、本実施例によれば、再生光の利用効率を略１００％としながら、安価かつ簡素な構成にて円滑に、迷光ないし層間クロストークの除去を実現できる。
【００６１】
＜実施例２＞
上記実施例１では、光ディスク１０によって反射されたレーザ光がビームスプリッタ１０９によって２つの光に分離され、これら分離されたレーザ光をそれぞれ光検出部１１１と光検出器１１３にて受光するようにした。これに対し、本実施例では、光ディスクによって反射されたレーザ光を分けずに一つの光検出部によって受光するようにしている。
【００６２】
なお、本実施例においても、上記実施例１と同様、ターゲット層によって反射されたレーザ光を再生光Ｌｎ、ターゲット層より１層だけ対物レンズ側の記録層によって反射されたレーザ光を迷光Ｌｎ−１、ターゲット層より１層だけ対物レンズから離れた記録層によって反射されたレーザ光を迷光Ｌｎ＋１という。
【００６３】
図４に実施の形態に係る光ピックアップの構成を示す。同図（ａ）は、対物レンズ１０８を除く光学系の平面図、同図（ｂ）は、立ち上げミラー１０７と対物レンズ１０８の部分の側面図である。
【００６４】
図４において、１２０はアナモレンズ、１２１は光検出部である。アナモレンズ１２０は、光ディスク１０によって反射されたレーザ光に非点収差を導入する。光検出部１２１は、後述の如く、３つの光検出器１２１ａ〜１２１ｃを備える。これら光検出器１２１ａ〜１２１ｃからの検出信号に対し、後述の如く演算処理が行われ、再生信号、フォーカスエラー信号およびトラッキングエラー信号が生成される。その他の構成は、上記実施例１における図１の構成と同様である。
【００６５】
図５は、光検出部１２１の構成を示す図である。図示の如く、光検出部１２１は、３つの光検出器１２１ａ〜１２１ｃを備えている。光検出器１２１ａ〜１２１ｃは、上記実施例１における光検出器１１１ａ〜１１１ｃと同様の輪郭を有しており、上記実施例１と同じ位置に配置される。
【００６６】
ただし、本実施例では、上記実施例１と異なり、光検出器１１１ａ〜１１１ｃの受光領域が、光検出器１２１ａ、１２１ｃの並び方向に直交する方向（図中、ｚ軸方向）に２分割されている。つまり、光検出器１２１ａ〜１２１ｃには、それぞれ、受光領域Ａ１，Ａ２と、受光領域Ｂ１、Ｂ２と、受光領域Ｃ１、Ｃ２が配され、これら受光領域Ａ１，Ａ２、Ｂ１，Ｂ２，Ｃ１，Ｃ２からそれぞれ検出信号Ｓａ１，Ｓａ２，Ｓｂ１，Ｓｂ２,Ｓｃ１，Ｓｃ２が出力される。
【００６７】
この場合、光検出器１２１ａ全体の検出信号Ｓａは、受光領域Ａ１，Ａ２から出力される検出信号Ｓａ１，Ｓａ２を加算したものになる。同様に、光検出器１２１ｂ全体の検出信号Ｓｂは、受光領域Ｂ１、Ｂ２から出力される検出信号Ｓｂ１，Ｓｂ２を加算したものとなり、また、光検出器１２１ｃ全体の検出信号Ｓｃは、受光領域Ｃ１、Ｃ２から出力される検出信号Ｓｃ１，Ｓｃ２を加算したものとなる。
【００６８】
この場合も、上記実施例１と同様、検出信号Ｓａ、Ｓｂ、Ｓｃについて、Ｓ＝Ｓａ＋Ｓｂ−Ｓｃの演算を行うことにより、迷光成分が除去された再生信号を生成することができる。したがって、各受光領域からの検出信号をもとに、
Ｓ＝（Ｓａ１＋Ｓａ２）＋（Ｓｂ１＋Ｓｂ２）−（Ｓｃ１＋Ｓｃ２）  …（２）
の演算を行うことにより、迷光成分が除去された、再生光Ｌｎのみに基づく再生信号Ｓを取得することができる。
【００６９】
次に、図６を参照して、本実施例におけるフォーカスエラー信号の生成方法について説明する。なお、同図（Ａ−１）〜（Ｃ−１）、（Ａ−２）〜（Ｃ−２）、（Ａ−３）〜（Ｃ−３）には、それぞれ、アナモレンズ１２０から光検出器１２１ａ〜１２１ｃへと向かう迷光Ｌｎ−１、再生光Ｌｎ、迷光Ｌｎ＋１の収束状態と、そのときの光検出器１２１ａ〜１２１ｃ上における迷光Ｌｎ−１、再生光Ｌｎ、迷光Ｌｎ＋１のビーム形状とが並べて示されている。
【００７０】
同図（Ａ−２）は、再生光の収束位置（ビーム形状が真円となる位置。以下同様）Ｆｐが光検出器１２１ａ、１２１ｃと光検出器１２１ｂの中間よりも光検出器１２１ｂ側にあるときの再生光の状態を示し、同図（Ａ−１）、（Ａ−３）は、それぞれ、再生光が同図（Ａ−２）の状態にあるときの迷光Ｌｎ−１と迷光Ｌｎ＋１の状態を示している。
【００７１】
同図（Ｂ−２）は、再生光の収束位置Ｆｐが光検出器１２１ａ、１２１ｃと光検出器１２１ｂの中間にあるときの再生光の状態を示し、同図（Ｂ−１）、（Ｂ−３）は、それぞれ、再生光が同図（Ｂ−２）の状態にあるときの迷光Ｌｎ−１と迷光Ｌｎ＋１の状態を示している。
【００７２】
同図（Ｃ−２）は、再生光の収束位置Ｆｐが光検出器１２１ａ、１２１ｃと光検出器１２１ｂの中間よりも光検出器１２１ａ、１２１ｃ側にあるときの再生光の状態を示し、同図（Ｃ−１）、（Ｃ−３）は、それぞれ、再生光が同図（Ｃ−２）の状態にあるときの迷光Ｌｎ−１と迷光Ｌｎ＋１の状態を示している。
【００７３】
同図（Ａ−２）、（Ｂ−２）および（Ｃ−２）を参照して、迷光Ｌｎ−１と迷光Ｌｎ＋１による影響がない場合、通常の非点収差法に基づくフォーカスエラー信号は、検出信号Ｓａ１、Ｓａ２、Ｓｂ１、Ｓｂ２をもとに、（Ｓａ１−Ｓａ２）−（Ｓｂ１−Ｓｂ２）の演算により求められる。しかし、本実施例では、光検出器１２１ａより光検出器１２１ｂが手前にあるため、（Ｓａ１−Ｓａ２）−（Ｓｂ１−Ｓｂ２）の演算からは、フォーカスエラー信号を求めることができない。また、本実施例では、オンフォーカス状態において、再生光の収束位置Ｆｐを光検出器１２１ｂと光検出器１２１ａ、１２１ｃの中間に位置づける必要がある。
【００７４】
このようなことから、本実施例では、迷光Ｌｎ−１、Ｌｎ＋１の影響がないとしたときのフォーカスエラー信号を（Ｓａ１−Ｓａ２）＋（Ｓｂ１−Ｓｂ２）の演算により求めるようにしている。かかる演算手法が適正であることについては、追って図７を参照して説明する。
【００７５】
以上は迷光を考慮しない場合の演算式であって、実際には、同図（Ａ−１）、（Ｂ−１）および（Ｃ−１）と同図（Ａ−３）、（Ｂ−３）および（Ｃ−３）に示すとおり、光検出器１２１ｂには、迷光Ｌｎ−１と迷光Ｌｎ＋１が重畳されるため、これら迷光による信号成分を、光検出器１２１ｃからの検出信号Ｓｃ１、Ｓｃ２を用いて相殺する必要がある。
【００７６】
かかる信号成分の相殺は、受光領域Ｂ１，Ｂ２において、それぞれ対応する受光領域Ｃ２，Ｃ１を考慮すると、（Ｓｂ１−Ｓｃ２）−（Ｓｂ２−Ｓｃ１）の演算により行うことができる。よって、フォーカスエラー信号ＦＥは、次式をもとに求めることができる。
【００７７】
ＦＥ＝（Ｓａ１−Ｓａ２）＋｛（Ｓｂ１−Ｓｃ２）−（Ｓｂ２−Ｓｃ１）｝
＝（Ｓａ１−Ｓａ２）＋（Ｓｂ１−Ｓｂ２）＋（Ｓｃ１−Ｓｃ２）
…（３）
【００７８】
ただし、光検出器１２１ｂと光検出器１２１ｃは、再生光の光軸方向に互いにずれた位置に配置されているため、図６に示す如く、光検出器１２１ｂと光検出器１２１ｃとでは、迷光Ｌｎ−１、Ｌｎ＋１のビーム形状が異なっている。このため、上記式（３）において、（Ｓｂ１−Ｓｂ２）＋（Ｓｃ１−Ｓｃ２）の演算を行っても、これら迷光による信号成分を、フォーカスエラー信号ＦＥから完全に除去することはできない。
【００７９】
しかしながら、迷光による信号成分は、光検出器１２１ｂと光検出器１２１ｃにおける迷光Ｌｎ−１、Ｌｎ＋１のビーム形状の差異によるものであるから、その重畳量は両ビーム形状の差分に基づくものであって、それほど大きなものにはならない。したがって、上記式（３）の演算処理を行うことにより、迷光Ｌｎ−１、Ｌｎ＋１による信号成分を、かなり小さなレベルまで抑制することができ、フォーカスエラー信号に対する迷光の影響を効果的に抑制することができる。
【００８０】
なお、上記式（３）では、ｎ−１層目からの迷光による信号成分を、ｎ−１層目からの迷光による信号成分により相殺しているが、ｎ−１層目からの迷光による信号成分を、ｎ＋１層目からの迷光による信号成分により相殺することもできる。よって、フォーカスエラー信号ＦＥは、次式をもとに求めることができる。
【００８１】
ＦＥ＝（Ｓａ１−Ｓａ２）＋｛（Ｓｂ１−Ｓｃ１）−（Ｓｂ２−Ｓｃ２）｝
＝（Ｓａ１−Ｓａ２）＋（Ｓｂ１−Ｓｂ２）−（Ｓｃ１−Ｓｃ２）
【００８２】
この場合も、迷光による信号成分をフォーカスエラー信号から完全に除去することはできないが、効果的に抑制することはできる。
【００８３】
次に、図７を参照して、迷光を考慮しないときのフォーカスエラー信号を（Ｓａ１−Ｓａ２）＋（Ｓｂ１−Ｓｂ２）の演算により求め得る点について説明する。図７（ａ）は、再生光Ｌｎの信号成分について検討したときの（Ｓａ１−Ｓａ２）、（Ｓｂ１−Ｓｂ２）、および（Ｓａ１−Ｓａ２）＋（Ｓｂ１−Ｓｂ２）の演算値の略推移をグラフに表したものである。同図（ｂ）は、再生光の収束位置Ｆｐと２つの焦線ＦＬａ，ＦＬｂの関係を示す図である。
【００８４】
同図（ａ）中、Ｐ１は焦線ＦＬａが光検出器１２１ａ上にあるときのレーザ光の収束位置であり、Ｐ２は焦線ＦＬｂが光検出器１２１ｂ上にあるときのレーザ光の収束位置である。なお、ここでは、焦線ＦＬａ、ＦＬｂの間隔が、レーザ光軸方向における光検出器１２１ａ、１２１ｂの間隔よりも長くなるよう光学系が調整されている。すなわち、収束位置Ｆｐが光検出器１２１ａと光検出器１２１ｂの中間位置にあるとき、焦線ＦＬｂは光検出器１２１ｂよりもアナモレンズ１２０に接近した位置にあり、また、焦線ＦＬａは光検出器１２１ａよりもアナモレンズ１２０から離れた位置にある。
【００８５】
フォーカスずれにより再生光の収束位置がＰ１からＰ２へと移動すると、光検出器１２１ａ、１２１ｂ上における再生光の形状は、図６の（Ａ−２）の状態から（Ｂ−２）、（Ｃ−２）へと変化する。この形状変化により、（Ｓａ１−Ｓａ２）および（Ｓｂ１−Ｓｂ２）の演算値は、図７（ａ）のように変化する。
【００８６】
このとき、（Ｓａ１−Ｓａ２）および（Ｓｂ１−Ｓｂ２）の演算値は、Ｐ１からＰ２の区間において、収束位置を表す軸に対称であるから、（Ｓａ１−Ｓａ２）＋（Ｓｂ１−Ｓｂ２）の演算値は、図の如く、略中間点Ｍｐにおいてゼロとなる。
【００８７】
従って、オンフォーカス状態にあるときの再生光の収束位置Ｆｐが、光検出器１２１ｂと光検出器１２１ａ、１２１ｃの中間に位置づけられるよう光検出器１２１ｂと光検出器１２１ａ、１２１ｃを配置すれば、（Ｓａ１−Ｓａ２）＋（Ｓｂ１−Ｓｂ２）の演算によって、フォーカスエラー信号を適正に取得することができる。光ピックアップ装置の光学系は、再生光Ｌｎの収束位置が光検出器１２１ｂと光検出器１２１ａ、１２１ｃの略中間にあるときに、レーザ光がターゲット層に収束されるよう設計される。
【００８８】
また、１ビームプッシュプル法によるトラッキングエラー信号ＴＲは、次式に従って求めることにより、迷光Ｌｎ−１、Ｌｎ＋１による影響が抑制される。
【００８９】
ＴＲ＝（Ｓａ１＋Ｓａ２）−｛（Ｓｂ１＋Ｓｂ２）−（Ｓｃ１＋Ｓｃ２）｝
…（４）
【００９０】
この場合も、フォーカスエラー信号の場合と同様、光検出器１２１ｂと光検出器１２１ｃとでは、迷光Ｌｎ−１、Ｌｎ＋１のビーム形状が異なるため、上記式（４）において、（Ｓｂ１＋Ｓｂ２）−（Ｓｃ１＋Ｓｃ２）の演算を行っても、これら迷光による信号成分を、トラッキングエラー信号ＴＲから完全に除去することはできない。しかし、この場合も、迷光による信号成分は、光検出器１２１ｂと光検出器１２１ｃにおける迷光Ｌｎ−１、Ｌｎ＋１のビーム形状の差異によるものであるから、トラッキングエラー信号に対する重畳量は、それほど大きなものにはならない。したがって、上記式（４）の演算処理を行うことにより、迷光Ｌｎ−１、Ｌｎ＋１による信号成分を、かなり小さなレベルまで抑制することができ、トラッキングエラー信号に対する迷光の影響を効果的に抑制することができる。
【００９１】
以上、本実施例によれば、再生信号、フォーカスエラー信号およびトラッキングエラー信号に対する迷光の影響を小さなレベルに抑制することができる。また、上記実施例と同様、３つの光検出器１２１ａ〜１２１ｃのみを用いることによって迷光による影響を抑制できるため、構成の簡素化とコストの削減を図ることができ、さらに、再生信号、フォーカスエラー信号およびトラッキングエラー信号は、再生光Ｌｎの全光量に基づくものであるため、再生信号を生成する際の再生光の利用効率を略１００％とすることができる。加えて、本実施例によれば、図１におけるビームスプリッタ１０９〜光検出器１１３の構成を削除できるため、光学系の簡素化を図ることができる。
【００９２】
＜変更例＞
以下に、実施例１における光検出部１１１の構成を図２の状態から種々変更した場合の迷光抑制効果について検討する。
【００９３】
図８は、光検出器１１１ｂを上方向に僅かに変位させた状態を示す。この場合、光検出器１１１ｂの変位に応じて、再生光Ｌｎ、迷光Ｌｎ−１、Ｌｎ＋１の上半分の一部が光検出器１１１ｂによって遮光されず、光検出器１１１ａまたは光検出器１１１ｃへと到達する。
【００９４】
光検出器１１１ｂの変位に応じて光検出器１１１ａまたは光検出器１１１ｃへと到達する再生光Ｌｎ、迷光Ｌｎ−１、Ｌｎ＋１の光量を、それぞれ、（ΔＬｎ）、（ΔＬｎ−１）、（ΔＬｎ＋１）として、上記式（１）の演算を行うと、再生信号Ｓは、次のとおりとなる。
【００９５】
Ｓ＝（Ｌｎ）−２・（ΔＬｎ）
【００９６】
このように、図２の状態から光検出器１１１ｂを上方向に変位させると、変位に応じて遮光されなくなった再生光の光量（ΔＬｎ）の分だけ、再生信号Ｓのレベルが低下する。しかし、この場合も、迷光Ｌｎ−１、Ｌｎ＋１の信号成分が再生信号Ｓに重畳されず、再生信号Ｓに対する迷光Ｌｎ−１、Ｌｎ＋１の影響は完全に除去される。すなわち、図８の構成では、再生光Ｌｎの利用効率はやや低下するものの、上記実施例と同様、再生信号Ｓに対する迷光Ｌｎ−１、Ｌｎ＋１の影響を完全に除去することができる。
【００９７】
図９は、光検出器１１１ｂを図２の状態から下方向に僅かに変位させた状態を示す。この場合、光検出器１１１ｂの変位に応じて、再生光Ｌｎ、迷光Ｌｎ−１、Ｌｎ＋１の下半分の一部が光検出器１１１ｂによって遮光される。
【００９８】
光検出器１１１ｂの変位に応じて遮光された再生光Ｌｎ、迷光Ｌｎ−１、Ｌｎ＋１の光量を、それぞれ、（ΔＬｎ）、（ΔＬｎ−１）、（ΔＬｎ＋１）として、上記式（１）の演算を行うと、再生信号Ｓは、次のとおりとなる。
【００９９】
Ｓ＝（Ｌｎ）＋２・｛（ΔＬｎ−１）＋（ΔＬｎ＋１）｝
【０１００】
このように、図２の状態から光検出器１１１ｂを下方向に変位させると、変位に応じて遮光された迷光の光量（ΔＬｎ−１）、（ΔＬｎ＋１）による信号成分が再生信号Ｓに重畳される。すなわち、図９の構成では、上記実施例と同様、再生光Ｌｎの利用効率１００％に維持されるものの、再生信号Ｓに対する迷光Ｌｎ−１、Ｌｎ＋１の影響を完全に除去するができない。
【０１０１】
しかし、再生信号Ｓに対する迷光の影響は、２・｛（ΔＬｎ−１）＋（ΔＬｎ＋１）｝であるため、光検出器１１１ｂを下方向の変位量（迷光の下半分の遮光量）が小さければ、迷光Ｌｎ−１、Ｌｎ＋１による信号成分の重畳量はそれほど大きくならない。よって、光検出器１１１ｂを下方向の変位量が小さい場合には、迷光の影響が効果的に抑制された再生信号Ｓを得ることができる。
【０１０２】
図１０は、光検出器１１１ａ、１１１ｃを図２の状態から下方向に僅かに変位させた状態を示す。この場合、光検出器１１１ａ、１１１ｃの変位に応じて、光検出器１１１ａ、１１１ｃに対する迷光Ｌｎ−１、Ｌｎ＋１の入射量が変化する。すなわち、同図（ａ）では、光検出器１１１ａに対する迷光Ｌｎ−１の入射量が増加した分だけ、光検出器１１１ｃに対する迷光Ｌｎ−１の入射量が減少し、また、同図（ｃ）においても、光検出器１１１ａに対する迷光Ｌｎ＋１の入射量が増加した分だけ、光検出器１１１ｃに対する迷光Ｌｎ＋１の入射量が減少する。
【０１０３】
光検出器１１１ａ、１１１ｃに対する迷光Ｌｎ−１、Ｌｎ＋１の入射量が変化分を、それぞれ、（ΔＬｎ−１）、（ΔＬｎ＋１）として、上記式（１）の演算を行うと、再生信号Ｓは、次のとおりとなる。
【０１０４】
Ｓ＝（Ｌｎ）＋２・｛（ΔＬｎ−１）＋（ΔＬｎ＋１）｝
【０１０５】
このように、図２の状態から光検出器１１１ａ、１１１ｃを下方向に変位させると、変位に応じて増減した迷光の光量（ΔＬｎ−１）、（ΔＬｎ＋１）による信号成分が再生信号Ｓに重畳される。すなわち、図１０の構成では、上記実施例と同様、再生光Ｌｎの利用効率１００％に維持されるものの、再生信号Ｓに対する迷光Ｌｎ−１、Ｌｎ＋１の影響を完全に除去することができない。
【０１０６】
しかし、この場合も、図９の場合と同様、再生信号Ｓに対する迷光の影響は、２・｛（ΔＬｎ−１）＋（ΔＬｎ＋１）｝であるため、光検出器１１１ａ、１１１ｃの下方向の変位量が小さければ、迷光Ｌｎ−１、Ｌｎ＋１による信号成分の重畳量はそれほど大きくならず、迷光の影響が効果的に抑制された再生信号Ｓを得ることができる。
【０１０７】
図１１は、光検出器１１１ａ、１１１ｃを図２の状態から上方向に僅かに変位させた状態を示す。この場合、光検出器１１１ａ、１１１ｃの変位に応じて、光検出器１１１ａ、１１１ｃに対する再生光Ｌｎの入射量が変化する。すなわち、同図（ｂ）では、光検出器１１１ａに対する再生光Ｌｎの入射量が減少し、その分だけ、光検出器１１１ｃに対する再生光Ｌｎの入射量が増加する。
【０１０８】
光検出器１１１ａ、１１１ｃに対する再生光Ｌｎの入射量が変化分を、（ΔＬｎ）として、上記式（１）の演算を行うと、再生信号Ｓは、次のとおりとなる。
【０１０９】
Ｓ＝（Ｌｎ）−２・（ΔＬｎ）
【０１１０】
このように、図２の状態から光検出器１１１ａ、１１１ｃを上方向に変位させると、変位に応じて変化する再生光の光量（ΔＬｎ）の分だけ、再生信号Ｓのレベルが低下する。しかし、この場合も、図２の場合と同様、迷光Ｌｎ−１、Ｌｎ＋１の信号成分が再生信号Ｓに重畳されず、再生信号Ｓに対する迷光Ｌｎ−１、Ｌｎ＋１の影響は完全に除去される。すなわち、図１１の構成では、再生光Ｌｎの利用効率はやや低下するものの、上記実施例と同様、再生信号Ｓに対する迷光Ｌｎ−１、Ｌｎ＋１の影響を完全に除去することができる。
【０１１１】
図１２は、光検出器１１１ａを図２の状態から再生光の光軸方向に変位させた状態を示す。この場合、光検出器１１１ａの変位に応じて、光検出器１１１ａ、１１１ｃに対する再生光Ｌｎと迷光Ｌｎ−１、Ｌｎ＋１の入射量は変化しない。よって、上記式（１）の演算を行うと、図２の場合と同様の迷光抑制効果が奏される。
【０１１２】
図１３は、光検出器１１１ａ、１１１ｃを、それぞれ、図２の状態から上方向と下方向に僅かに変位させた状態を示す。この場合、光検出器１１１ａ、１１１ｃの変位に応じて、光検出器１１１ａ、１１１ｃに対する再生光Ｌｎと迷光Ｌｎ−１、Ｌｎ＋１の入射量が変化する。すなわち、同図（ａ）では、光検出器１１１ｃに対する迷光Ｌｎ−１の入射量が減少し、同図（ｂ）では、光検出器１１１ａに対する再生光Ｌｎの入射量が減少し、同図（ｃ）では、光検出器１１１ｃに対する迷光Ｌｎ＋１の入射量が減少する。
【０１１３】
光検出器１１１ａ、１１１ｂ、１１１ｃに対する迷光Ｌｎ−１、再生光Ｌｎ、迷光Ｌｎ+１の入射量が減少分を、それぞれ、（ΔＬｎ−１）、（ΔＬｎ）、（ΔＬｎ＋１）として、上記式（１）の演算を行うと、再生信号Ｓは、次のとおりとなる。
【０１１４】
Ｓ＝（Ｌｎ）−（ΔＬｎ）＋（ΔＬｎ−１）＋（ΔＬｎ＋１）
【０１１５】
このように、図２の状態から光検出器１１１ａ、１１１ｃをそれぞれ上方向と下方向に変位させると、変位に応じて減少した迷光の光量（ΔＬｎ−１）、（ΔＬｎ＋１）による信号成分が再生信号Ｓに重畳される。また、図１３の構成では、再生光Ｌｎの利用効率が（ΔＬｎ）の分だけ１００％から低下する。
【０１１６】
しかし、この場合も、再生信号Ｓに対する迷光の影響は、｛（ΔＬｎ−１）＋（ΔＬｎ＋１）｝であるため、光検出器１１１ａ、１１１ｃの変位量が小さければ、迷光Ｌｎ−１、Ｌｎ＋１による信号成分の重畳量はそれほど大きくならず、迷光の影響が効果的に抑制された再生信号Ｓを得ることができる。また、光検出器１１１ａの変位量が小さければ、（ΔＬｎ）はそれほど低下せず、再生光の利用効率を高く維持することができる。
【０１１７】
以上、本発明の実施例について説明したが、本発明は、上記実施例に何ら制限されるものではなく、また、本発明の実施形態も上記以外に種々の変更が可能である。
【０１１８】
たとえば、図１および図４に示す光学系は、１種類の波長のレーザ光のみを用いる場合のものであったが、２種類以上の波長のレーザ光を光ディスクに照射する互換型の光ピックアップ装置および光ディスク装置に本発明を適用することも可能である。また、光ピックアップ装置の光学系を、他の構成に変更することも可能である。
【０１１９】
さらに、光検出器間の空間に透明部材を配することにより、３つの光検出器を透明部材とともに一体化することも可能である。
【０１２０】
なお、上記実施例では、一つのディスク内に複数の記録層が配されている場合が想定されているが、一つのディスク内に記録層が一層のみ配されている場合にも、記録層以外の面から迷光が生じることが起こり得る。この場合も、本発明を用いることにより、迷光による影響を効果的に抑制した再生信号を得ることができる。
【０１２１】
この他、本発明の実施の形態は、特許請求の範囲に示された技術的思想の範囲内において、適宜、種々の変更が可能である。
【図面の簡単な説明】
【０１２２】
【図１】実施例１に係る光ピックアップ装置の構成を示す図
【図２】実施例１に係る光検出部の構成および迷光抑制効果を説明する図
【図３】実施例１に係る光ディスク装置の要部構成を示す図
【図４】実施例２に係る光ピックアップ装置の構成を示す図
【図５】実施例２に係る光検出器の構成を示す図
【図６】実施例２に係る光検出器に対する再生光と迷光の入射状態を示す図
【図７】実施例２に係る光検出器の検出信号の演算値を示す図
【図８】実施例１の光検出部の構成を変更した場合の迷抑制効果を説明する図
【図９】実施例１の光検出部の構成を変更した場合の迷抑制効果を説明する図
【図１０】実施例１の光検出部の構成を変更した場合の迷抑制効果を説明する図
【図１１】実施例１の光検出部の構成を変更した場合の迷抑制効果を説明する図
【図１２】実施例１の光検出部の構成を変更した場合の迷抑制効果を説明する図
【図１３】実施例１の光検出部の構成を変更した場合の迷抑制効果を説明する図
【符号の説明】
【０１２３】
１０１  …  半導体レーザ
１０８  …  対物レンズ
１１０  …  集光レンズ
１１１  …  光検出部
１１１ａ〜１１１ｃ  …  光検出器
１２１  …  光検出部
１２１ａ〜１２１ｃ  …  光検出器
２０２  …  光ピックアップ装置
２０３  …  信号演算回路
【図１】
2010009734.tif 000003
【図２】
2010009734.tif 000004
【図３】
2010009734.tif 000005
【図４】
2010009734.tif 000006
【図５】
2010009734.tif 000007
【図６】
2010009734.tif 000008
【図７】
2010009734.tif 000009
【図８】
2010009734.tif 000010
【図９】
2010009734.tif 000011
【図１０】
2010009734.tif 000012
【図１１】
2010009734.tif 000013
【図１２】
2010009734.tif 000014
【図１３】
2010009734.tif 000015